(57)【要約】【課題】長波紫外線吸収能を長時間維持することができる紫外線吸収性化合物を含む樹脂成形物を提供する。【解決手段】溶液における最大吸収波長が４００ｎｍ以下である化合物を高分子物質に５ｇ／ｍ2以下含有してなる樹脂組成物であって、波長４１０ｎｍでの光線透過率が５％以下である樹脂成形物。【選択図】なし【特許請求の範囲】
【請求項１】
溶液における最大吸収波長が４００ｎｍ以下である化合物を高分子物質に５ｇ／ｍ2以下含有してなる樹脂組成物であって、波長４１０ｎｍでの光線透過率が５％以下であることを特徴とする樹脂成形物。
【請求項２】
波長４４０ｎｍでの光線透過率が８０％以上である、請求項１記載の樹脂成形物。
【請求項３】
波長４３０ｎｍでの光線透過率が７０％以上である、請求項１または２記載の樹脂成形物。
【請求項４】
前記化合物が下記一般式（１）で表される化合物である、請求項１〜３のいずれか１項に記載の樹脂成形物。
【化１】
2010132846.tif 000028
［Ｈｅｔ1は、２価の５あるいは６員環の芳香族ヘテロ環残基を表す。また、該芳香族ヘテロ環残基は置換基を有していても良い。
Ｘa、Ｘb、Ｘc及びＸdは、互いに独立してヘテロ原子を表す。また、Ｘa〜Ｘdは置換基を有していても良い。
Ｙa、Ｙb、Ｙc、Ｙd、Ｙe及びＹfは、互いに独立してヘテロ原子または炭素原子を表す。また、Ｙa〜Ｙfは置換基を有していても良い。
Ｈｅｔ1に結合している環は、任意の位置に二重結合を有していても良い。］
【請求項５】
前記一般式（１）で表される化合物が下記一般式（２）で表される化合物である、請求項４に記載の樹脂成形物。
【化２】
2010132846.tif 000029
［Ｈｅｔ2は、前記一般式（１）のＨｅｔ1と同義である。
Ｘ2a、Ｘ2b、Ｘ2c及びＸ2dは、それぞれ前記一般式（１）のＸa、Ｘb、Ｘc及びＸdと同義である。
Ｙ2b、Ｙ2c、Ｙ2e及びＹ2fは、それぞれ前記一般式（１）のＹb、Ｙc、Ｙe及びＹfと同義である。
Ｌ1及びＬ2は、それぞれ独立して酸素原子、硫黄原子または＝ＮＲaを表す（Ｒaは、水素原子または１価の置換基を表す。）。
Ｚ1及びＺ2はそれぞれ独立して、Ｙ2b及びＹ2cまたはＹ2e及びＹ2fと一緒になって４〜８員環を形成するのに必要な原子群を表す。］
【請求項６】
前記一般式（２）で表される化合物が下記一般式（３）で表される化合物である、請求項５記載の樹脂成形物。
【化３】
2010132846.tif 000030
［Ｈｅｔ3は、前記一般式（２）のＨｅｔ2と同義である。
Ｘ3a、Ｘ3b、Ｘ3c及びＸ3dは、それぞれ前記一般式（２）のＸ2a、Ｘ2b、Ｘ2c及びＸ2dと同義である。
Ｒ3a、Ｒ3b、Ｒ3c、Ｒ3d、Ｒ3e、Ｒ3f、Ｒ3g及びＲ3hは互いに独立して、水素原子または１価の置換基を表す。］
【請求項７】
前記一般式（３）で表される化合物が下記一般式（４）で表される化合物である、請求項６記載の樹脂成形物。
【化４】
2010132846.tif 000031
［Ｈｅｔ4は、前記一般式（２）のＨｅｔ２と同義である。
Ｒ4a、Ｒ4b、Ｒ4c、Ｒ4d、Ｒ4e、Ｒ4f、Ｒ4g及びＲ4hは、それぞれ前記一般式（３）のＲ3a、Ｒ3b、Ｒ3c、Ｒ3d、Ｒ3e、Ｒ3f、Ｒ3g及びＲ3hと同義である。］
【請求項８】
溶液における最大吸収波長が４００ｎｍ以下である化合物を高分子物質に５ｇ／ｍ2以下含有してなるフィルムであって、波長４１０ｎｍでの光線透過率が５％以下であることを特徴とするポリマーフィルム。
【請求項９】
波長４４０ｎｍでの光線透過率が８０％以上である、請求項８記載のポリマーフィルム。
【請求項１０】
波長４３０ｎｍでの光線透過率が７０％以上である、請求項８または９記載のポリマーフィルム。
【請求項１１】
前記化合物が下記一般式（１）で表される化合物である、請求項８〜１０のいずれか１項に記載のポリマーフィルム。
【化５】
2010132846.tif 000032
［Ｈｅｔ1は、２価の５あるいは６員環の芳香族ヘテロ環残基を表す。また、該芳香族ヘ
テロ環残基は置換基を有していても良い。
Ｘa、Ｘb、Ｘc及びＸdは、互いに独立してヘテロ原子を表す。また、Ｘa〜Ｘdは置換基を有していても良い。
Ｙa、Ｙb、Ｙc、Ｙd、Ｙe及びＹfは、互いに独立してヘテロ原子または炭素原子を表す。また、Ｙa〜Ｙfは置換基を有していても良い。
Ｈｅｔ1に結合している環は、任意の位置に二重結合を有していても良い。］
【請求項１２】
前記一般式（１）におけるＸa、Ｘb、Ｙa〜Ｙc及び炭素原子によって形成される環並びにＸc、Ｘd、Ｙd〜Ｙf及び炭素原子によって形成される環の少なくとも一方が縮環している、請求項１１記載のポリマーフィルム。
【請求項１３】
前記一般式（１）におけるＸa、Ｘb、Ｙa〜Ｙc及び炭素原子によって形成される環並びにＸc、Ｘd、Ｙd〜Ｙf及び炭素原子によって形成される環の少なくとも一方がペリミジン環ではない、請求項１１又は１２に記載のポリマーフィルム。
【請求項１４】
前記一般式（１）で表される化合物が下記一般式（２）で表される化合物である、請求項１１〜１３のいずれか１項に記載のポリマーフィルム。
【化６】
2010132846.tif 000033
［Ｈｅｔ2は、前記一般式（１）のＨｅｔ1と同義である。
Ｘ2a、Ｘ2b、Ｘ2c及びＸ2dは、それぞれ前記一般式（１）のＸa、Ｘb、Ｘc及びＸdと同義である。
Ｙ2b、Ｙ2c、Ｙ2e及びＹ2fは、それぞれ前記一般式（１）のＹb、Ｙc、Ｙe及びＹfと同義である。
Ｌ1及びＬ2は、それぞれ独立して酸素原子、硫黄原子または＝ＮＲaを表す（Ｒaは、水素原子または１価の置換基を表す。）。
Ｚ1及びＺ2はそれぞれ独立して、Ｙ2b及びＹ2cまたはＹ2e及びＹ2fと一緒になって４〜８員環を形成するのに必要な原子群を表す。］
【請求項１５】
前記一般式（２）で表される化合物が下記一般式（３）で表される化合物である、請求項１４に記載のポリマーフィルム。
【化７】
2010132846.tif 000034
［Ｈｅｔ3は、前記一般式（２）のＨｅｔ2と同義である。
Ｘ3a、Ｘ3b、Ｘ3c及びＸ3dは、それぞれ前記一般式（２）のＸ2a、Ｘ2b、Ｘ2c及びＸ2dと同義である。
Ｒ3a、Ｒ3b、Ｒ3c、Ｒ3d、Ｒ3e、Ｒ3f、Ｒ3g及びＲ3hは互いに独立して、水素原子または１価の置換基を表す。］
【請求項１６】
前記一般式（３）で表される化合物が下記一般式（４）で表される化合物である、請求項１５記載のポリマーフィルム。
【化８】
2010132846.tif 000035
［Ｈｅｔ4は、前記一般式（３）のＨｅｔ3と同義である。
Ｒ4a、Ｒ4b、Ｒ4c、Ｒ4d、Ｒ4e、Ｒ4f、Ｒ4g及びＲ4hは、それぞれ前記一般式（３）のＲ3a、Ｒ3b、Ｒ3c、Ｒ3d、Ｒ3e、Ｒ3f、Ｒ3g及びＲ3hと同義である。］
【請求項１７】
前記一般式（４）で表される化合物が下記一般式（５）で表される化合物である、請求項１６記載のポリマーフィルム。
【化９】
2010132846.tif 000036
［Ｒ5a、Ｒ5b、Ｒ5c、Ｒ5d、Ｒ5e、Ｒ5f、Ｒ5g及びＲ5hは、それぞれ前記一般式（４）のＲ4a、Ｒ4b、Ｒ4c、Ｒ4d、Ｒ4e、Ｒ4f、Ｒ4g及びＲ4hと同義である。Ｒ5i及びＲ5jは互いに独立して、水素原子または１価の置換基を表す。］
【請求項１８】
前記高分子物質がポリエステル、ポリカーボネートまたはアクリル樹脂である、請求項８〜１７のいずれか１項に記載のポリマーフィルム。
【請求項１９】
前記高分子物質がポリエチレンテレフタレート、ポリエチレンナフタレート、ポリカーボネート、ポリメチルメタクリレートである、請求項８〜１８のいずれか１項に記載のポリマーフィルム。
【請求項２０】
請求項８〜１９のいずれか１項に記載のポリマーフィルムを含む太陽電池。
【請求項２１】
請求項８〜１９のいずれか１項に記載のポリマーフィルムを含む中間膜。
【請求項２２】
高分子物質に下記一般式（１）で表される化合物を含有してなる樹脂組成物。
【化１０】
2010132846.tif 000037
［Ｈｅｔ1は、２価の５あるいは６員環の芳香族ヘテロ環残基を表す。また、該芳香族ヘ
テロ環残基は置換基を有していても良い。
Ｘa、Ｘb、Ｘc及びＸdは、互いに独立してヘテロ原子を表す。また、Ｘa〜Ｘdは置換基を有していても良い。
Ｙa、Ｙb、Ｙc、Ｙd、Ｙe及びＹfは、互いに独立してヘテロ原子または炭素原子を表す。また、Ｙa〜Ｙfは置換基を有していても良い。
Ｈｅｔ1に結合している環は、任意の位置に二重結合を有していても良い。］
【発明の詳細な説明】
【技術分野】
【０００１】
本発明は、紫外線を遮断する耐光性ポリマーフィルムと樹脂成形物に関する。
【背景技術】
【０００２】
熱可塑性樹脂フィルムは、汎用性が高く幅広い分野、条件下で使用されている。ポリエステル、ポリアミド、ポリオレフィン、ポリエーテル、ポリスチレン系樹脂などの熱可塑性樹脂は紫外線の作用により劣化あるいは分解を引き起こし、変色したり機械強度が低下したりするため、長期の使用に支障をきたすことがある。そこで、劣化を防止するために、従来から種々の紫外線吸収剤が用いられている。こうした紫外線吸収剤を含有する熱可塑性樹脂フィルムは、窓貼り用、ビニールハウス、防虫用途など幅広く使用されている。
【０００３】
インク、医療、食品の分野では、紫外領域（３８０ｎｍ以下）や、可視光短波長領域（３８０ｎｍ〜４１０ｎｍ）の光により劣化してしまう。しかし、これまで特定の波長をカットするフィルムという課題自体、周知のものではなかった。
従来、ベンゾフェノン系やベンゾトリアゾール系の紫外線吸収剤、および酸化金属を含有させたフィルムは存在したが、３８０ｎｍ以下までの紫外線吸収能しか有しておらず、３８０ｎｍ〜４１０ｎｍの可視光短波長領域の光は吸収できないため、その効果が乏しかったり、あるいは熱による紫外線吸収剤の析出や分解のために、加熱成形した際にその効果が半減したり、更には加熱成形に適さないものもあった。
また、長波長領域までカットしようとするとかなり高濃度に紫外線吸収剤を添加する必要があるが、単に高濃度に添加しただけでは紫外線吸収剤の析出や長期使用によるブリードアウトが生じるという問題があった。また、ベンゾフェノン系やベンゾトリアゾール系の紫外線吸収剤の中には、皮膚刺激性や生体内への蓄積性を有するものがあり、使用にあたっては細心の注意が必要であった。
【先行技術文献】
【特許文献】
【０００４】
【特許文献１】特開平７−１１２３１号公報
【特許文献２】特開平７−１１２３２号公報
【特許文献３】特開２００６−１８８５７８号公報
【発明の概要】
【発明が解決しようとする課題】
【０００５】
本発明の目的は、上記の問題点を解決するものであり、長波紫外線吸収能を長時間維持することができる紫外線吸収性化合物を含むポリマーフィルムと樹脂成形物を提供することにある。
【課題を解決するための手段】
【０００６】
本発明者らは、ヘテロ環化合物について詳細に検討した結果、光堅牢性が高く、これまでカバーすることができなかった長波長領域の紫外線を吸収できる従来知られていない構造を有する化合物を見出し、これを含むフィルムが耐光性フィルムとして有効であることを見出し、本発明を完成するに至った。
【０００７】
本発明の課題は、以下の方法によって達成された。
＜１＞溶液における最大吸収波長が４００ｎｍ以下である化合物を高分子物質に５ｇ／ｍ2以下含有してなる樹脂成形物であって、波長４１０ｎｍでの光線透過率が５％以下であることを特徴とする樹脂成形物。
＜２＞波長４４０ｎｍでの光線透過率が８０％以上である、＜１＞記載の樹脂成形物。
＜３＞波長４３０ｎｍでの光線透過率が７０％以上である、＜１＞または＜２＞記載の樹脂成形物。
＜４＞前記化合物が下記一般式（１）で表される化合物である、＜１＞〜＜３＞のいずれか１項に記載の樹脂成形物。
【０００８】
【化１】
2010132846.tif 000002
【０００９】
［Ｈｅｔ1は、２価の５あるいは６員環の芳香族ヘテロ環残基を表す。また、該芳香族ヘテロ環残基は置換基を有していても良い。
Ｘa、Ｘb、Ｘc及びＸdは、互いに独立してヘテロ原子を表す。また、Ｘa〜Ｘdは置換基を有していても良い。
Ｙa、Ｙb、Ｙc、Ｙd、Ｙe及びＹfは、互いに独立してヘテロ原子または炭素原子を表す。また、Ｙa〜Ｙfは置換基を有していても良い。
Ｈｅｔ1に結合している環は、任意の位置に二重結合を有していても良い。］
＜５＞前記一般式（１）で表される化合物が下記一般式（２）で表される化合物である、＜４＞に記載の樹脂成形物。
【００１０】
【化２】
2010132846.tif 000003
【００１１】
［Ｈｅｔ2は、前記一般式（１）のＨｅｔ1と同義である。
Ｘ2a、Ｘ2b、Ｘ2c及びＸ2dは、それぞれ前記一般式（１）のＸa、Ｘb、Ｘc及びＸdと同義である。
Ｙ2b、Ｙ2c、Ｙ2e及びＹ2fは、それぞれ前記一般式（１）のＹb、Ｙc、Ｙe及びＹfと同義である。
Ｌ1及びＬ2は、それぞれ独立して酸素原子、硫黄原子または＝ＮＲaを表す（Ｒaは、水素原子または１価の置換基を表す。）。
Ｚ1及びＺ2はそれぞれ独立して、Ｙ2b及びＹ2cまたはＹ2e及びＹ2fと一緒になって４〜８員環を形成するのに必要な原子群を表す。］
＜６＞前記一般式（２）で表される化合物が下記一般式（３）で表される化合物である、＜５＞記載の樹脂成形物。
【００１２】
【化３】
2010132846.tif 000004
【００１３】
［Ｈｅｔ3は、前記一般式（２）のＨｅｔ2と同義である。
Ｘ3a、Ｘ3b、Ｘ3c及びＸ3dは、それぞれ前記一般式（２）のＸ2a、Ｘ2b、Ｘ2c及びＸ2dと同義である。
Ｒ3a、Ｒ3b、Ｒ3c、Ｒ3d、Ｒ3e、Ｒ3f、Ｒ3g及びＲ3hは互いに独立して、水素原子または１価の置換基を表す。］
＜７＞前記一般式（３）で表される化合物が下記一般式（４）で表される化合物である、＜６＞記載の樹脂成形物。
【００１４】
【化４】
2010132846.tif 000005
【００１５】
［Ｈｅｔ4は、前記一般式（２）のＨｅｔ２と同義である。
Ｒ4a、Ｒ4b、Ｒ4c、Ｒ4d、Ｒ4e、Ｒ4f、Ｒ4g及びＲ4hは、それぞれ前記一般式（３）のＲ3a、Ｒ3b、Ｒ3c、Ｒ3d、Ｒ3e、Ｒ3f、Ｒ3g及びＲ3hと同義である。］
＜８＞溶液における最大吸収波長が４００ｎｍ以下である化合物を高分子物質に５ｇ／ｍ2以下含有してなるフィルムであって、波長４１０ｎｍでの光線透過率が５％以下であることを特徴とするポリマーフィルム。
＜９＞波長４４０ｎｍでの光線透過率が８０％以上である、＜８＞記載のポリマーフィルム。
＜１０＞波長４３０ｎｍでの光線透過率が７０％以上である、＜８＞または＜９＞記載のポリマーフィルム。
＜１１＞前記化合物が下記一般式（１）で表される化合物である、＜８＞〜＜１０＞のいずれか１項に記載のポリマーフィルム。
【００１６】
【化５】
2010132846.tif 000006
【００１７】
［Ｈｅｔ1は、２価の５あるいは６員環の芳香族ヘテロ環残基を表す。また、該芳香族ヘ
テロ環残基は置換基を有していても良い。
Ｘa、Ｘb、Ｘc及びＸdは、互いに独立してヘテロ原子を表す。また、Ｘa〜Ｘdは置換基を有していても良い。
Ｙa、Ｙb、Ｙc、Ｙd、Ｙe及びＹfは、互いに独立してヘテロ原子または炭素原子を表す。また、Ｙa〜Ｙfは置換基を有していても良い。
Ｈｅｔ1に結合している環は、任意の位置に二重結合を有していても良い。］
＜１２＞前記一般式（１）におけるＸa、Ｘb、Ｙa〜Ｙc及び炭素原子によって形成される環並びにＸc、Ｘd、Ｙd〜Ｙf及び炭素原子によって形成される環の少なくとも一方が縮環している、＜１１＞記載のポリマーフィルム。
＜１３＞前記一般式（１）におけるＸa、Ｘb、Ｙa〜Ｙc及び炭素原子によって形成される環並びにＸc、Ｘd、Ｙd〜Ｙf及び炭素原子によって形成される環の少なくとも一方がペリミジン環ではない、＜１１＞又は＜１２＞に記載のポリマーフィルム。
＜１４＞前記一般式（１）で表される化合物が下記一般式（２）で表される化合物である、＜１１＞〜＜１３＞のいずれか１項に記載のポリマーフィルム。
【００１８】
【化６】
2010132846.tif 000007
【００１９】
［Ｈｅｔ2は、前記一般式（１）のＨｅｔ1と同義である。
Ｘ2a、Ｘ2b、Ｘ2c及びＸ2dは、それぞれ前記一般式（１）のＸa、Ｘb、Ｘc及びＸdと同義である。
Ｙ2b、Ｙ2c、Ｙ2e及びＹ2fは、それぞれ前記一般式（１）のＹb、Ｙc、Ｙe及びＹfと同義である。
Ｌ1及びＬ2は、それぞれ独立して酸素原子、硫黄原子または＝ＮＲaを表す（Ｒaは、水素原子または１価の置換基を表す。）。
Ｚ1及びＺ2はそれぞれ独立して、Ｙ2b及びＹ2cまたはＹ2e及びＹ2fと一緒になって４〜８員環を形成するのに必要な原子群を表す。］
＜１５＞前記一般式（２）で表される化合物が下記一般式（３）で表される化合物である、＜１４＞に記載のポリマーフィルム。
【００２０】
【化７】
2010132846.tif 000008
【００２１】
［Ｈｅｔ3は、前記一般式（２）のＨｅｔ2と同義である。
Ｘ3a、Ｘ3b、Ｘ3c及びＸ3dは、それぞれ前記一般式（２）のＸ2a、Ｘ2b、Ｘ2c及びＸ2dと同義である。
Ｒ3a、Ｒ3b、Ｒ3c、Ｒ3d、Ｒ3e、Ｒ3f、Ｒ3g及びＲ3hは互いに独立して、水素原子または１価の置換基を表す。］
＜１６＞前記一般式（３）で表される化合物が下記一般式（４）で表される化合物である、＜１５＞記載のポリマーフィルム。
【００２２】
【化８】
2010132846.tif 000009
【００２３】
［Ｈｅｔ4は、前記一般式（３）のＨｅｔ3と同義である。
Ｒ4a、Ｒ4b、Ｒ4c、Ｒ4d、Ｒ4e、Ｒ4f、Ｒ4g及びＲ4hは、それぞれ前記一般式（３）のＲ3a、Ｒ3b、Ｒ3c、Ｒ3d、Ｒ3e、Ｒ3f、Ｒ3g及びＲ3hと同義である。］
＜１７＞前記一般式（４）で表される化合物が下記一般式（５）で表される化合物である、＜１６＞記載のポリマーフィルム。
【００２４】
【化９】
2010132846.tif 000010
【００２５】
［Ｒ5a、Ｒ5b、Ｒ5c、Ｒ5d、Ｒ5e、Ｒ5f、Ｒ5g及びＲ5hは、それぞれ前記一般式（４）のＲ4a、Ｒ4b、Ｒ4c、Ｒ4d、Ｒ4e、Ｒ4f、Ｒ4g及びＲ4hと同義である。Ｒ5i及びＲ5jは互いに独立して、水素原子または１価の置換基を表す。］
＜１８＞前記高分子物質がポリエステル、ポリカーボネートまたはアクリル樹脂である、＜８＞〜＜１７＞のいずれか１項に記載のポリマーフィルム。
＜１９＞前記高分子物質がポリエチレンテレフタレート、ポリエチレンナフタレート、ポリカーボネート、ポリメチルメタクリレートである、＜８＞〜＜１８＞のいずれか１項に記載のポリマーフィルム。
＜２０＞＜８＞〜＜１９＞のいずれか１項に記載のポリマーフィルムを含む太陽電池。
＜２１＞＜８＞〜＜１９＞のいずれか１項に記載のポリマーフィルムを含む中間膜。
＜２２＞高分子物質に下記一般式（１）で表される化合物を含有してなる樹脂組成物。
【００２６】
【化１０】
2010132846.tif 000011
【００２７】
［Ｈｅｔ1は、２価の５あるいは６員環の芳香族ヘテロ環残基を表す。また、該芳香族ヘ
テロ環残基は置換基を有していても良い。
Ｘa、Ｘb、Ｘc及びＸdは、互いに独立してヘテロ原子を表す。また、Ｘa〜Ｘdは置換基を有していても良い。
Ｙa、Ｙb、Ｙc、Ｙd、Ｙe及びＹfは、互いに独立してヘテロ原子または炭素原子を表す。また、Ｙa〜Ｙfは置換基を有していても良い。
Ｈｅｔ1に結合している環は、任意の位置に二重結合を有していても良い。］
【発明の効果】
【００２８】
本発明の樹脂成形物は耐光性に優れ、紫外線吸収を要する種々の用途に用いることができる。一例として本発明のポリマーフィルムは紫外線フィルタとして用いることができ、例えば容器に貼り付けることで紫外線に弱い内容物を保護することができる。
【発明を実施するための形態】
【００２９】
以下、本発明について詳細に説明する。
本発明における樹脂組成物とは、樹脂を含んでなるもので、室温で一定時間形を保っているものであればよい。
本発明における樹脂成形物とは、樹脂を含んでなる成形物であればよく、その形態は特に制限するものではない。具体例として、ポリマーフィルム、チューブ、カップ、プレート、ボトル、ペレット、塊状樹脂などを挙げることができる。
【００３０】
本発明の樹脂成形物は、溶液における最大吸収波長が４００ｎｍ以下である化合物（紫外線吸収性化合物）を高分子物質に５ｇ／ｍ2以下含有してなり、かつ、波長４１０ｎｍでの光線透過率が５％以下であることを特徴とする。
【００３１】
本発明における最大吸収波長を測定するための溶液とは、本発明で用いる化合物を有機もしくは無機の溶媒または水を単独あるいはそれぞれの混合物を用いて溶解したものである。
【００３２】
有機溶媒の例としては、例えば、アミド系溶媒（例えばＮ，Ｎ−ジメチルホルムアミド、Ｎ，Ｎ−ジメチルアセトアミド、１−メチル−２−ピロリドン）、スルホン系溶媒（例えばスルホラン）、スルホキシド系溶媒（例えばジメチルスルホキシド）、ウレイド系溶媒（例えばテトラメチルウレア）、エーテル系溶媒（例えばジオキサン、テトラヒドロフラン、シクロペンチルメチルエーテル）、ケトン系溶媒（例えばアセトン、シクロヘキサノン）、炭化水素系溶媒（例えばトルエン、キシレン、ｎ−デカン）、ハロゲン系溶媒（例えばテトラクロロエタン、クロロベンゼン、クロロナフタレン）、アルコール系溶媒（例えばメタノール、エタノール、イソプロピルアルコール、エチレングリコール、シクロヘキサノール、フェノール）、ピリジン系溶媒（例えばピリジン、γ−ピコリン、２，６−ルチジン）、エステル系溶媒（例えば酢酸エチル、酢酸ブチル）、カルボン酸系溶媒（例えば酢酸、プロピオン酸）、ニトリル系溶媒（例えばアセトニトリル）、スルホン酸系溶媒（例えばメタンスルホン酸）、アミン系溶媒（例えばトリエチルアミン、トリブチルアミン）が挙げられる。無機溶媒の例としては、例えば、硫酸、リン酸が挙げられる。
【００３３】
溶解性を考慮すると、好ましくはアミド系溶媒、スルホン系溶媒、スルホキシド系溶媒、ウレイド系溶媒、エーテル系溶媒、ケトン系溶媒、ハロゲン系溶媒、アルコール系溶媒、エステル系溶媒、ニトリル系溶媒である。より好ましくはアミド系溶媒、エーテル系溶媒、ケトン系溶媒、ハロゲン系溶媒、アルコール系溶媒、エステル系溶媒、ニトリル系溶媒であり、さらに好ましくはエーテル系溶媒、ハロゲン系溶媒、エステル系溶媒であり、特に好ましくはエステル系溶媒である。エステル系溶媒の中でも酢酸エチルを溶媒とすることが最も好ましい。
濃度は、分光吸収の最大吸収波長が確認できる濃度であればよく、好ましくは１×１０-8〜１Ｍの範囲である。温度は、特に限定しないが、好ましくは０℃〜８０℃である。
前記化合物の溶液における最大吸収波長は、好ましくは３５０ｎｍ以上４００ｎｍ以下であり、さらに好ましくは３６０ｎｍ以上４００ｎｍ以下であり、最も好ましくは３７０ｎｍ以上４００ｎｍ以下である。
【００３４】
紫外線吸収性化合物の含有量は、好ましくは３ｇ／ｍ2以下であり、さらに好ましくは２ｇ／ｍ2以下であり、特に好ましくは１ｇ／ｍ2以下である。また、紫外線吸収性化合物は、紫外線吸収効果を発揮させかつ均一に分散させる観点から、当該化合物と高分子物質との合計質量あたり、０．０５〜３０質量％含有させることが好ましく、０．１〜２０質量％含有させることがさらに好ましい。
【００３５】
本発明の樹脂成形物は、波長４１０ｎｍでの光線透過率が５％以下、かつ波長４４０ｎｍでの光線透過率が８０％以上であることが好ましい。より好ましくは波長４１０ｎｍでの光線透過率が４％以下、かつ波長４４０ｎｍでの光線透過率が８０％以上であり、さらに好ましくは波長４１０ｎｍでの光線透過率が３％以下、かつ波長４４０ｎｍでの光線透過率が８０％以上であり、特に好ましくは波長４１０ｎｍでの光線透過率が２％以下、かつ波長４４０ｎｍでの光線透過率が８０％以上である。
【００３６】
さらに、本発明の樹脂成形物は、波長４１０ｎｍでの光線透過率が５％以下、波長４３０ｎｍでの光線透過率が７０％以上、かつ波長４４０ｎｍでの光線透過率が８０％以上であることが好ましい。より好ましくは波長４１０ｎｍでの光線透過率が４％以下、かつ波長４３０ｎｍでの光線透過率が７０％以上、かつ波長４４０ｎｍでの光線透過率が８０％以上であり、さらに好ましくは波長４１０ｎｍでの光線透過率が３％以下、かつ波長４３０ｎｍでの光線透過率が７０％以上、かつ波長４４０ｎｍでの光線透過率が８０％以上であり、特に好ましくは波長４１０ｎｍでの光線透過率が２％以下、かつ波長４３０ｎｍでの光線透過率が７０％以上、かつ波長４４０ｎｍでの光線透過率が８０％以上である。
【００３７】
波長４１０ｎｍ、４３０ｎｍ及び４４０ｎｍでの光線透過率は、例えば分光光度計ＵＶ−３６００（商品名、島津製作所製）を用いて測定することができる。
【００３８】
本発明の樹脂成形物に含有される紫外線吸収性化合物は、前記一般式（１）で表される化合物であることが好ましい。
【００３９】
前記一般式（１）において、Ｈｅｔ1は、少なくとも一つのヘテロ原子を有する２価の５あるいは６員環の芳香族ヘテロ環残基を表す。また、Ｈｅｔ1は、縮環していても良い。
ヘテロ原子としては例えば、ホウ素原子、窒素原子、酸素原子、ケイ素原子、リン原子、硫黄原子、セレン原子、テルル原子などを挙げることができる。ヘテロ原子として好ましくは、窒素原子、酸素原子、硫黄原子である。より好ましくは、窒素原子、硫黄原子である。特に好ましくは、硫黄原子である。ヘテロ原子を二つ以上有する場合は、同一原子であっても異なる原子であっても良い。
【００４０】
２価の芳香族ヘテロ環残基に２つの水素原子を付加した芳香族ヘテロ環として例えば、ピロール、ピラゾール、イミダゾール、１，２，３−トリアゾール、１，２，４−トリアゾール、ピリジン、ピリダジン、ピリミジン、ピラジン、１，３，５−トリアジン、フラン、チオフェン、オキサゾール、イソオキサゾール、チアゾール、イソチアゾール、１，２，３−オキサジアゾール、１，３，４−チアジアゾールなどを挙げることができる。芳香族ヘテロ環として好ましくは、ピロール、ピリジン、フラン、チオフェンである。より好ましくは、ピリジン、チオフェンである。特に好ましくは、チオフェンである。芳香族ヘテロ環の水素原子を取り除く位置はいずれでも良い。例えばヘテロ５員環化合物ピロールでの結合位置は、２，３位、２，４位、２，５位、３，４位、３，５位が挙げられる。また、チオフェンでの結合位置は、２，３位、２，４位、２，５位、３，４位、３，５位が挙げられる。これらのうち好ましくは、２，５位、２，４位、３，４位であり、より好ましくは２，５位、３，４位であり、特に好ましくは２，５位である。また、ヘテロ６員環化合物ピリジンでの結合位置は、２，３位、２，４位、２，５位、２，６位、３，４位、３，５位、３，６位が挙げられる。これらのうち好ましくは、２，５位、２，６位、３，５位であり、より好ましくは２，５位、２，６位であり、特に好ましくは２，５位である。
【００４１】
また、芳香族ヘテロ環残基Ｈｅｔ1は、置換基を有していても良い。置換基として１価の置換基が挙げられる。１価の置換基（以下Ｒとする）の例として、ハロゲン原子（例えばフッ素原子、塩素原子、臭素原子、ヨウ素原子）、炭素数１〜２０のアルキル基（例えばメチル、エチル）、炭素数６〜２０のアリール基（例えばフェニル、ナフチル）、シアノ基、カルボキシル基、アルコキシカルボニル基（例えばメトキシカルボニル）、アリールオキシカルボニル基（例えばフェノキシカルボニル）、置換又は無置換のカルバモイル基（例えばカルバモイル、Ｎ−フェニルカルバモイル、Ｎ，Ｎ−ジメチルカルバモイル）、アルキルカルボニル基（例えばアセチル）、アリールカルボニル基（例えばベンゾイル）、ニトロ基、置換または無置換のアミノ基（例えばアミノ、ジメチルアミノ、アニリノ）、アシルアミノ基（例えばアセトアミド、エトキシカルボニルアミノ）、スルホンアミド基（例えばメタンスルホンアミド）、イミド基（例えばスクシンイミド、フタルイミド）、イミノ基（例えばベンジリデンアミノ）、ヒドロキシ基、炭素数１〜２０のアルコキシ基（例えばメトキシ）、アリールオキシ基（例えばフェノキシ）、アシルオキシ基（例えばアセトキシ）、アルキルスルホニルオキシ基（例えばメタンスルホニルオキシ）、アリールスルホニルオキシ基（例えばベンゼンスルホニルオキシ）、スルホ基、置換または無置換のスルファモイル基（例えばスルファモイル、Ｎ−フェニルスルファモイル）、アルキルチオ基（例えばメチルチオ）、アリールチオ基（例えばフェニルチオ）、アルキルスルホニル基（例えばメタンスルホニル）、アリールスルホニル基（例えばベンゼンスルホニル）、炭素数６〜２０のヘテロ環基（例えばピリジル、モルホリノ）などを挙げることができる。また、置換基は更に置換されていても良く、置換基が複数ある場合は、同じでも異なっても良い。その際、置換基の例としては、上述の１価の置換基Ｒを挙げることができる。また置換基同士で結合して環を形成しても良い。
置換基として好ましくは、アルキル基、アルコキシ基、アリール基がある。より好ましくは、アルキル基、アリール基であり、特に好ましくは、アルキル基である。
【００４２】
Ｘa、Ｘb、Ｘc及びＸdは、互いに独立してヘテロ原子を表す。ヘテロ原子としては例えば、ホウ素原子、窒素原子、酸素原子、ケイ素原子、リン原子、硫黄原子、セレン原子、テルル原子などを挙げることができる。ヘテロ原子として好ましくは、窒素原子、酸素原子、硫黄原子である。より好ましくは、窒素原子、酸素原子である。また、Ｘa〜Ｘdは置換基を有していても良い。置換基としては上述した１価の置換基Ｒの例が挙げられる。
【００４３】
Ｙa、Ｙb、Ｙc、Ｙd、Ｙe及びＹfは、互いに独立してヘテロ原子または炭素原子を表す。Ｙa〜Ｙfを構成する原子としては例えば、炭素原子、窒素原子、酸素原子、硫黄原子などが挙げられる。Ｙa〜Ｙfを構成する原子として好ましくは、炭素原子、窒素原子、酸素原子であり、より好ましくは、炭素原子、窒素原子である。さらに好ましくは、炭素原子であり、特に好ましくは、全て炭素原子を表す場合である。また、原子は置換されていても良く、置換基同士で結合して環を形成しても良く、さらに縮環していても良い。置換基としては上述した１価の置換基Ｒの例が挙げられる。
【００４４】
前記のＸa、Ｘb、Ｙa〜Ｙc及び炭素原子によって形成される環並びにＸc、Ｘd、Ｙd〜Ｙf及び炭素原子によって形成される環（前記のＨｅｔ1で表される芳香族ヘテロ環残基に結合している２つの環）は、任意の位置に二重結合を有していても良い。該２つの環の少なくとも一方は、縮環していることが好ましい。また、該２つの環の少なくとも一方はペリミジン環ではないことが好ましい。
【００４５】
下記表１〜６に、前記のＸa、Ｘb、Ｙa〜Ｙc及び炭素原子によって形成される環をＡ、前記のＨｅｔ1で表される芳香族ヘテロ環残基をＨｅｔ、前記のＸc、Ｘd、Ｙd〜Ｙf及び炭素原子によって形成される環をＢとして、それぞれの具体例を示す。
表１〜６においてＭｅはメチル基、Ｅｔはエチル基、Ｐｈはフェニル基を表す。
【００４６】
【表１】
2010132846.tif 000012
【００４７】
【表２】
2010132846.tif 000013
【００４８】
【表３】
2010132846.tif 000014
【００４９】
【表４】
2010132846.tif 000015
【００５０】
【表５】
2010132846.tif 000016
【００５１】
【表６】
2010132846.tif 000017
【００５２】
前記一般式（１）で表される化合物は前記一般式（２）で表される化合物であることが好ましい。以下、前記一般式（２）で表される化合物について説明する。
【００５３】
Ｈｅｔ2は、前記一般式（１）のＨｅｔ1と同義である。好ましい場合も同じである。
【００５４】
Ｘ2a、Ｘ2b、Ｘ2c及びＸ2dは、それぞれ前記一般式（１）のＸa、Ｘb、Ｘc及びＸdと同義であり、好ましい場合も同じである。Ｘ2a、Ｘ2b、Ｘ2c及びＸ2dはそれぞれ異なっていても良いが、Ｘ2a及びＸ2b、並びにＸ2c及びＸ2dの組は、それぞれ同じ組み合わせを表す場合がより好ましく、特に好ましくはＸ2a及びＸ2cが酸素原子、Ｘ2b及びＸ2dが窒素原子を表す場合である。
【００５５】
Ｙ2b、Ｙ2c、Ｙ2e及びＹ2fは、それぞれ前記一般式（１）のＹb、Ｙc、Ｙe及びＹfと同義である。好ましい場合も同じである。
【００５６】
Ｌ1及びＬ2は、それぞれ独立して酸素原子、硫黄原子または＝ＮＲaを表す（Ｒaは、水素原子または１価の置換基を表す。置換基としては上述の１価の置換基Ｒの例が挙げられる。）好ましくは酸素原子、＝ＮＲaである。より好ましくは酸素原子である。Ｌ1及びＬ2はそれぞれ異なっていても良いが、同じであることが好ましい。中でもＬ1及びＬ2はいずれも酸素原子であることが特に好ましい。
【００５７】
Ｚ1及びＺ2はそれぞれ独立して、Ｙ2b及びＹ2cまたはＹ2e及びＹ2fと一緒になって４〜８員環を形成するのに必要な原子群を表す。これらの環は置換基を有していても良く、さらに縮環していても良い。形成する環として例えば、シクロヘキサン、シクロペンタンなどの脂肪族炭化水素環、ベンゼン環、ナフタレン環などの芳香族炭化水素環、ピリジン、ピロール、ピリダジン、チオフェン、イミダゾール、フラン、ピラゾール、オキサゾール、トリアゾール、チアゾ−ルまたはこれらのベンゾ縮環体などのヘテロ環が挙げられる。好ましくは芳香族炭化水素環、ヘテロ環である。より好ましくは芳香族炭化水素環であり、特に好ましくはベンゼン環である。
【００５８】
さらに、前記一般式（２）で表される化合物は、前記一般式（３）で表される化合物であることが好ましい。以下、前記一般式（３）で表される化合物について説明する。
【００５９】
Ｈｅｔ3は、前記一般式（２）のＨｅｔ2と同義である。好ましい場合も同じである。
【００６０】
Ｘ3a、Ｘ3b、Ｘ3c及びＸ3dは、それぞれ前記一般式（２）のＸ2a、Ｘ2b、Ｘ2c及びＸ2dと同義であり、好ましい場合も同じである。Ｘ3a、Ｘ3b、Ｘ3c及びＸ3dはそれぞれ異なっていても良いが、Ｘ3a及びＸ3b、並びにＸ3c及びＸ3dの組は、それぞれ同じ組み合わせを表す場合がより好ましく、特に好ましくはＸ3a及びＸ3cが酸素原子、Ｘ3b及びＸ3dが窒素原子を表す場合である。
【００６１】
Ｒ3a、Ｒ3b、Ｒ3c、Ｒ3d、Ｒ3e、Ｒ3f、Ｒ3g及びＲ3hは互いに独立して、水素原子または１価の置換基を表す。置換基としては上述の１価の置換基Ｒの例を挙げることができる。Ｒ3a〜Ｒ3d及びＲ3e〜Ｒ3hのうち任意の２つの置換基は互いに結合して環を形成しても良く、さらに縮環していても良い。Ｒ3a〜Ｒ3hとして好ましくは、水素原子、炭素数１０以下のアルキル基、炭素数１０以下のアルコキシ基、ヒドロキシ基であり、より好ましくは、水素原子、炭素数１０以下のアルコキシ基である。さらに好ましくは、水素原子であり、特に好ましくは、Ｒ3a〜Ｒ3hの全てが水素原子を表す場合である。
【００６２】
さらに、前記一般式（３）で表される化合物は、前記一般式（４）で表される化合物であることが好ましい。以下、前記一般式（４）で表される化合物について説明する。
【００６３】
Ｈｅｔ4は、前記一般式（３）のＨｅｔ3と同義である。好ましい場合も同じである。
【００６４】
Ｒ4a、Ｒ4b、Ｒ4c、Ｒ4d、Ｒ4e、Ｒ4f、Ｒ4g及びＲ4hは、それぞれ前記一般式（３）のＲ3a、Ｒ3b、Ｒ3c、Ｒ3d、Ｒ3e、Ｒ3f、Ｒ3g及びＲ3hと同義である。好ましい場合も同じである。
【００６５】
さらに、前記一般式（４）で表される化合物は、前記一般式（５）で表される化合物であることが好ましい。以下、前記一般式（５）で表される化合物について説明する。
【００６６】
Ｈｅｔ5は、前記一般式（４）のＨｅｔ4と同義である。好ましい場合も同じである。
【００６７】
Ｒ5a、Ｒ5b、Ｒ5c、Ｒ5d、Ｒ5e、Ｒ5f、Ｒ5g及びＲ5hは、それぞれ前記一般式（４）のＲ4a、Ｒ4b、Ｒ4c、Ｒ4d、Ｒ4e、Ｒ4f、Ｒ4g及びＲ4hと同義である。好ましい場合も同じである。
【００６８】
Ｒ5i及びＲ5jは互いに独立して、水素原子または１価の置換基を表す。１価の置換基としては上述の１価の置換基Ｒの例を挙げることができる。Ｒ5i及びＲ5jは互いに結合して環を形成しても良く、さらに縮環していても良い。Ｒ5i及びＲ5jとして好ましくは、水素原子、炭素数１０以下のアルキル基、炭素数１０以下のアルコキシ基、ヒドロキシ基であり、より好ましくは、水素原子、炭素数１０以下のアルコキシ基である。さらに好ましくは、水素原子であり、特に好ましくは、Ｒ5i及びＲ5jが共に水素原子を表す場合である。
【００６９】
前記一般式（１）〜（５）のいずれかで表される化合物の具体例を以下に示すが、本発明はこれに限定されない。
【００７０】
【化１１】
2010132846.tif 000018
【００７１】
【化１２】
2010132846.tif 000019
【００７２】
【化１３】
2010132846.tif 000020
【００７３】
【化１４】
2010132846.tif 000021
【００７４】
【化１５】
2010132846.tif 000022
【００７５】
【化１６】
2010132846.tif 000023
【００７６】
前記一般式（１）〜（５）のいずれかで表される化合物は、任意の方法で合成することができる。例えば、公知の特許文献や非特許文献、例えば特開２０００−２６４８７９号公報の４ページ左４３行目〜右８行目の実施例、特開２００３−１５５３７５の４ページ右欄５行目〜３０行目の実施例、「Ｂｉｏｏｒｇａｎｉｃ  ＆  Ｍｅｄｉｃｉｎａｌ  Ｃｈｅｍｉｓｔｒｙ」，２０００年，８巻，２０９５−２１０３ページ、「Ｂｉｏｏｒｇａｎｉｃ  ＆  Ｍｅｄｉｃｉｎａｌ  Ｃｈｅｍｉｓｔｒｙ  Ｌｅｔｔｅｒｓ」，２００３年，１３巻，４０７７−４０８０ページなどを参考にして合成できる。例えば、例示化合物（１５）は３，５−ピラゾールジカルボニルジクロリドとアントラニル酸とを反応させることにより合成できる。また、例示化合物（３２）は２，５−チオフェンジカルボニルジクロリドと４，５−ジメトキアントラニル酸とを反応させることにより合成できる。
【００７７】
前記一般式（１）〜（５）のいずれかで表される化合物は、構造とその置かれた環境によって互変異性体を取り得る。本発明においては代表的な形の一つで記述しているが、本発明の記述と異なる互変異性体も本発明に用いられる化合物に含まれる。
【００７８】
前記一般式（１）〜（５）のいずれかで表される化合物は、同位元素（例えば、2Ｈ、3Ｈ、13Ｃ、15Ｎ、17Ｏ、18Ｏなど）を含有していてもよい。
【００７９】
前記一般式（１）〜（５）のいずれかで表される化合物は、有機材料を光・酸素または熱による損傷に対して安定化させるのに特に適している。中でも光安定剤、とりわけ紫外線吸収剤として用いることに最も適している。
【００８０】
続いて、本発明に用いられる高分子物質について説明する。
高分子物質としては、天然あるいは合成ポリマーのいずれであってもよい。ポリオレフィン（例えば、ポリエチレン、ポリプロピレン、ポリイソブチレン、ポリ（１−ブテン）、ポリ４−メチルペンテン、ポリビニルシクロヘキサン、ポリスチレン、ポリ（ｐ−メチルスチレン）、ポリ（α−メチルスチレン）、ポリイソプレン、ポリブタジエン、ポリシクロペンテン、ポリノルボルネンなど）、ビニルモノマーのコポリマー（例えば、エチレン／プロピレンコポリマー、エチレン／メチルペンテンコポリマー、エチレン／ヘプテンコポリマー、エチレン／ビニルシクロヘキサンコポリマー、エチレン／シクロオレフィンコポリマー（例えば、エチレン／ノルボルネンのようなシクロオレフィンコポリマー（ＣＯＣ：Cyclo-Olefin  Copolymer））、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマーなど）、アクリル系ポリマー（例えば、ポリメタクリレート、ポリアクリレート、ポリアクリルアミド、ポリアクリロニトリルなど）、ポリ塩化ビニル、ポリ塩化ビニリデン、ポリフッ化ビニル、ポリフッ化ビニリデン、塩化ビニル／酢酸ビニルコポリマー、ポリエーテル（例えば、ポリアルキレングリコール、ポリエチレンオキシド、ポリプロピレンオキシドなど）、ポリアセタール（例えば、ポリオキシメチレン）、ポリアミド、ポリイミド、ポリウレタン、ポリ尿素、ポリエステル（例えば、ポリエチレンテレフタレート（ＰＥＴ）、ポリエチレンナフタレート（ＰＥＮ）など）、ポリカーボネート（ＰＣ）、ポリケトン、ポリスルホンポリエーテルケトン、フェノール樹脂、メラミン樹脂、セルロースエステル（例えば、ジアセチルセルロース、トリアセチルセルロース（ＴＡＣ）、プロピオニルセルロース、ブチリルセルロース、アセチルプロピオニルセルロース、ニトロセルロース）、ポリビニルブチラール（ＰＶＢ）、エチレンビニルアセテート（ＥＶＡ）、ポリエーテルスルホン（ＰＥＳ）、ポリシロキサン、天然ポリマー（例えば、セルロース、ゴム、ゼラチンなど）、などが例として挙げられる。
【００８１】
本発明に用いられる高分子物質は、合成ポリマーである場合が好ましく、ポリオレフィン、アクリル系ポリマー、ポリエステル、ポリカーボネート、ポリビニルブチラール、エチレンビニルアセテート、ポリエーテルスルホン、セルロースエステルがより好ましい。中でも、ポリエチレン、ポリプロピレン、ポリ（４−メチルペンテン）、ポリメタクリル酸メチル（ＰＭＭＡ）、ポリカーボネート、ポリエチレンテレフタレート、ポリエチレンナフタレート、ポリブチレンテレフタレート、トリアセチルセルロースが特に好ましい。
【００８２】
また、本発明に用いられる高分子物質は、熱可塑性樹脂であることが好ましい。
熱可塑性樹脂としては、例えば、ポリエチレン系樹脂、ポリプロピレン系樹脂、ポリ（メタ）アクリル酸エステル系樹脂、ポリスチレン系樹脂、スチレン−アクリロニトリル系樹脂、アクリロニトリル−ブタジエン−スチレン系樹脂、ポリ塩化ビニル系樹脂、ポリ塩化ビニリデン系樹脂、ポリ酢酸ビニル系樹脂、ポリビニルブチラール系樹脂（ＰＶＢ）、エチレン−酢酸ビニル系共重合体、エチレン−ビニルアルコール系樹脂、ポリエチレンテレフタレート樹脂（ＰＥＴ）、ポリエチレンナフタレート樹脂（ＰＥＮ）、ポリブチレンテレフタレート樹脂（ＰＢＴ）、エチレンビニルアセテート樹脂（ＥＶＡ）、ポリエーテルスルホン樹脂（ＰＥＳ）、液晶ポリエステル樹脂（ＬＣＰ）、ポリアセタール樹脂（ＰＯＭ）、ポリアミド樹脂（ＰＡ）、ポリカーボネート樹脂（ＰＣ）、ポリウレタン樹脂およびポリフェニレンサルファイド樹脂（ＰＰＳ）等が挙げられ、これらは一種または二種以上のポリマーブレンドあるいはポリマーアロイとして使用される。また、これらの樹脂は、ナチュラル樹脂にガラス繊維、炭素繊維、半炭化繊維、セルロース系繊維、ガラスビーズ等のフィラーや難燃剤等を含有させた熱可塑性成形材料としても使用される。また、必要に応じて従来使用されている樹脂用の添加剤、例えば、ポリオレフィン系樹脂微粉末、ポリオレフィン系ワックス、エチレンビスアマイド系ワックス、金属石鹸等を単独であるいは組み合わせて使用することもできる。
【００８３】
本発明のポリマーフィルムを紫外線吸収フィルタや紫外線吸収膜として用いる場合、高分子物質は透明であることが好ましい。透明高分子材料の例としては、セルロースエステル（例、ジアセチルセルロース、トリアセチルセルロース、プロピオニルセルロース、ブチリルセルロース、アセチルプロピオニルセルロース、ニトロセルロース）、ポリアミド、ポリカーボネート、ポリエステル（例、ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４’−ジカルボキシレート、ポリブチレンテレフタレート）、ポリスチレン（例、シンジオタクチックポリスチレン）、ポリオレフィン（例、ポリエチレン、ポリプロピレン、ポリメチルペンテン）、ポリメチルメタクリレート、シンジオタクチックポリスチレン、ポリスルホン、ポリエーテルスルホン、ポリビニルブチラール、エチレンビニルアセテート、ポリエーテルケトン、ポリエーテルイミド及びポリオキシエチレンなどが挙げられる。好ましくはセルロースエステル、ポリカーボネート、ポリエステル、ポリオレフィン、アクリル樹脂であり、より好ましくはポリカーボネート、ポリエステルである。さらに好ましくはポリエステルであり、特に好ましくはポリエチレンテレフタレートである。
【００８４】
本発明では、異なる構造を有する二種類以上の前記一般式（１）〜（５）のいずれかで表される化合物を併用してもよいし、前記一般式（１）〜（５）のいずれかで表される化合物とそれ以外の構造を有する一種類以上の紫外線吸収剤とを併用してもよい。二種類（好ましくは三種類）の紫外線吸収剤を併用すると、広い波長領域の紫外線を吸収することができる。また、二種類以上の紫外線吸収剤を併用すると、紫外線吸収剤の分散状態が安定化するとの作用もある。前記一般式（１）〜（５）以外の構造を有する紫外線吸収剤としては、いずれのものでも使用できる。紫外線吸収剤の構造として知られているトリアジン系、ベンゾトリアゾール系、ベンゾフェノン系、メロシアニン系、シアニン系、ジベンゾイルメタン系、桂皮酸系、シアノアクリレート系、安息香酸エステル系などの化合物が挙げられる。例えば、ファインケミカル、２００４年５月号、２８〜３８ページ、東レリサーチセンター調査研究部門発行「高分子用機能性添加剤の新展開」（東レリサーチセンター、１９９９年）９６〜１４０ページ、大勝靖一監修「高分子添加剤の開発と環境対策」（シーエムシー出版、２００３年）５４〜６４ページなどに記載されている紫外線吸収剤が挙げられる。
【００８５】
前記一般式（１）〜（５）以外の構造を有する紫外線吸収剤として好ましくは、ベンゾトリアゾール系、ベンゾフェノン系、サリチル酸系、シアノアクリレート系、トリアジン系の化合物である。より好ましくはベンゾトリアゾール系、ベンゾフェノン系、トリアジン系の化合物である。特に好ましくはベンゾトリアゾール系の化合物である。
【００８６】
ベンゾトリアゾール系化合物の有効吸収波長は約２７０〜３８０ｎｍで、代表例としては２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール、２−（２’−ヒドロキシ−３’−ｔ−ブチル−５’−（２−（オクチルオキシカルボニル）エチル）フェニル）−５−クロロベンゾトリアゾール、２−（２’−ヒドロキシ−３’−ドデシル−５’−メチルフェニル）−５−クロロベンゾトリアゾール、２−（２’−ヒドロキシ−３’，５’−ジ−ｔ−アミルフェニル）ベンゾトリアゾール、２−（２’−ヒドロキシ−５’−ｔ−オクチルフェニル）ベンゾトリアゾール、２−（２’−ヒドロキシ−３’，５’−ジ−（ジメチルベンジル）フェニル）ベンゾトリアゾール、２−（２’−ヒドロキシ−４’−オクチルオキシフェニル）ベンゾトリアゾール、２，２’−メチレン−ビス（２−（２’−ヒドロキシ−５’−ｔ−オクチルフェニル）ベンゾトリアゾール）２−（２’−ヒドロキシ−３’−（３，４，５，６−テトラヒドロフタルイミジルメチル）−５’−メチルベンジル）フェニル）ベンゾトリアゾール等を挙げることができる。
【００８７】
ベンゾフェノン系化合物の有効吸収波長は約２７０〜３８０ｎｍで、代表例としては２，４−ジヒドロキシベンゾフェノン、２−ヒドロキシ−４−メトキシベンゾフェノン、２−ヒドロキシ−４−オクチルオキシベンゾフェノン、２−ヒドロキシ−４−ドデシルオキシベンゾフェノン、２−ヒドロキシ−４−ベンジルオキシベンゾフェノン、２−ヒドロキシ−４−（２−ヒドロキシ−３−メタクリルオキシプロポキシ）ベンゾフェノン、２−ヒドロキシ−４−メトキシ−５−スルホベンゾフェノン、２−ヒドロキシ−４−メトキシ−５−スルホベンゾフェノントリヒドレート、２−ヒドロキシ−４−メトキシ−２’−カルボキシベンゾフェノン、２−ヒドロキシ−４−オクタデシロキシベンゾフェノン、２−ヒドロキシ−４−ジエチルアミノ−２’−ヘキシルオキシカルボニルベンゾフェノン、２，２’−ジヒドロキシ−４−メトキシベンゾフェノン、２，２’，４，４’−テトラヒドロキシベンゾフェノン、２，２’−ジヒドロキシ−４，４’−ジメトキシベンゾフェノン、１，４−ビス（４−ベンジルオキシ−３−ヒドロキシフェノキシ）ブタン等を挙げることができる。
【００８８】
サリチル酸系化合物の有効吸収波長は約２９０〜３３０ｎｍで、代表例としてはフェニルサリシレート、ｐ−ｔ−ブチルフェニルサリシレート、ｐ−オクチルフェニルサリシレートなどを挙げることができる。
【００８９】
シアノアクリレート系化合物の有効吸収波長は約２７０〜３５０ｎｍで、代表例としては２−エチルヘキシル  ２−シアノ−３、３−ジフェニルアクリレート、エチル  ２−シアノ−３、３−ジフェニルアクリレート、ヘキサデシル  ２−シアノ−３−（４−メチルフェニル）アクリレート、２−シアノ−３−（４−メチルフェニル）アクリル酸塩、１，３−ビス（２’−シアノ−３，３’−ジフェニルアクリロイル）オキシ）−２，２−ビス（（（２’−シアノ−３，３’−ジフェニルアクリロイル）オキシ）メチル）プロパン等を挙げることができる。
【００９０】
トリアジン系化合物の有効吸収波長は約２７０〜３８０ｎｍで、代表例としては２−（４−ヘキシロキシ−２−ヒドロキシフェニル）−４，６−ジフェニル−１，３，５−トリアジン、２−（４−オクチロキシ−２−ヒドロキシフェニル）−４，６−ジ（２，５−ジメチルフェニル）−１，３，５−トリアジン、２−（４−ブトキシ−２−ヒドロキシフェニル）−４，６−ジ（４−ブトキシフェニル）−１，３，５−トリアジン、２−（４−ブトキシ−２−ヒドロキシフェニル）−４，６−ジ（２，４−ジブトキシフェニル）−１，３，５−トリアジン、２−（４−（３−（２−エチルヘキシロキシ）−２−ヒドロキシプロポキシ）−２−ヒドロキシフェニル）−４，６−ジ（２，４−ジメチルフェニル）−１，３，５−トリアジン、２−（４−（３−ドデシロキシ−２−ヒドロキシプロポキシ）−２−ヒドロキシフェニル）−４，６−ジ（２，４−ジメチルフェニル）−１，３，５−トリアジン、２，４−ジ（４−ブトキシ−２−ヒドロキシフェニル）−６−（４−ブトキシフェニル）−１，３，５−トリアジン、２，４−ジ（４−ブトキシ−２−ヒドロキシフェニル）−６−（２，４−ジブトキシフェニル）−１，３，５−トリアジン等を挙げることができる。
【００９１】
本発明の樹脂成形物は、上記の高分子物質および紫外線吸収性化合物（紫外線吸収剤）に加えて、必要に応じて酸化防止剤、光安定剤、加工安定剤、老化防止剤、相溶化剤等の任意の添加剤を適宜含有してもよい。
例えば、本発明の樹脂成形物は、前記紫外線吸収性化合物により実用的には十分な紫外線遮蔽効果を有しているが、更に厳密な紫外線遮蔽効果が要求される場合には隠蔽力の強い白色顔料、例えば酸化チタンなどを併用してもよい。また、外観、色調が問題となる場合、あるいは好みによって、微量（０．０５質量％以下）の着色剤を併用することができる。また、透明あるいは白色であることが重要である用途に対しては蛍光増白剤を併用してもよい。蛍光増白剤としては市販のものや特開２００２−５３８２４号公報記載の一般式［１］や具体的化合物例１〜３５などが挙げられる。
【００９２】
前記一般式（１）〜（５）のいずれかで表される化合物は、様々な方法で高分子物質に含有させることができる。前記化合物が高分子物質との相溶性を有する場合は、前記化合物を高分子物質に直接添加することができる。高分子物質との相溶性を有する補助溶媒に、前記化合物を溶解し、その溶液を高分子物質に添加してもよい。前記化合物を高沸点有機溶媒やポリマー中に分散し、その分散物を高分子物質に添加してもよい。
【００９３】
高沸点有機溶媒の沸点は、１８０℃以上であることが好ましく、２００℃以上であることがさらに好ましい。高沸点有機溶媒の融点は、１５０℃以下であることが好ましく、１００℃以下であることがさらに好ましい。高沸点有機溶媒の例には、リン酸エステル、ホスホン酸エステル、安息香酸エステル、フタル酸エステル、脂肪酸エステル、炭酸エステル、アミド、エーテル、ハロゲン化炭化水素、アルコール及びパラフィンが含まれる。リン酸エステル、ホスホン酸エステル、フタル酸エステル、安息香酸エステル及び脂肪酸エステルが好ましい。
高分子物質への前記化合物の添加方法については、特開昭５８−２０９７３５号、同６３−２６４７４８号、特開平４−１９１８５１号、同８−２７２０５８号の各公報および英国特許第２０１６０１７Ａ号明細書を参考にできる。
【００９４】
また、前記一般式（１）〜（５）のいずれかで表される化合物（紫外線吸収剤）は、高分子物質の重合過程で添加してもよく、重合後に添加しても良い。重合後の高分子物質に溶融状態で添加する場合、紫外線吸収剤は単体で添加してもよく、また溶媒等に分散した状態で添加しても良い。この際使用する溶媒は混練する樹脂を劣化させず、紫外線吸収剤を分散させるものであれば特に限定されない。このような溶媒の例としては、上述した高沸点有機溶媒が挙げられる。
【００９５】
こうした溶融混合は、一軸あるいは二軸押し出し機などの溶融混合設備を使用して、重合体の溶融温度以上の温度で、紫外線吸収剤を添加することにより可能である。分散液を使用した場合は分散液を加圧下で添加した後、有機溶媒を除去することにより、実行可能である。
【００９６】
紫外線吸収剤は製膜時に熱可塑性樹脂の溶融状態に添加し混練してもよい。この方法は、熱履歴を少なくすることで熱可塑性樹脂の劣化を抑えることができるため好ましい。
【００９７】
溶融重合可能な熱可塑性樹脂、例えばポリエチレンテレフタレート、ポリエチレンナフタレートといった熱可塑性ポリエステルの場合には、紫外線吸収剤の分散液を重合前、もしくは重合中に添加しても良い。紫外線吸収剤は単体で添加してもよくまたあらかじめ溶媒で分散した状態で添加してもよい。この場合の溶媒は重合体の原料であるものが好ましい。重合反応は通常の重合体の重合条件に準じて実施すればよい。
【００９８】
上記の方法で得られた０．５〜５０質量％の比較的高い濃度で紫外線吸収剤を含有する熱可塑性樹脂をマスターバッチとして、さらに紫外線吸収剤未添加の熱可塑性樹脂に混練させることでも、目的とする紫外線吸収剤含有ポリマーを得ることができる。
【００９９】
本発明のポリマーフィルムは、上記の本発明の樹脂成形物において、フィルム形状に成形してなるものである。本発明のポリマーフィルムの紫外線吸収性化合物の含有量、波長４１０ｎｍでの光透過率、４４０ｎｍでの光透過率、４３０ｎｍでの光透過率やその好ましい範囲は、上記本発明の樹脂成形物について説明したと同様である。
紫外線吸収剤を含有する熱可塑性樹脂は、溶融製膜によりフィルム化することができる。溶融製膜温度としては、熱可塑性樹脂の流動開始温度（非晶性樹脂ではガラス転移温度、結晶性樹脂では融点）以上４５０℃以下が好ましく、４００℃以下がより好ましく、３５０℃以下がさらに好ましい。温度が流動開始温度より低すぎると溶融成形が困難になるため好ましくなく、また、温度が高すぎると熱可塑性樹脂の熱劣化が起きる恐れがあり好ましくない。
【０１００】
高弾性のフィルムを製造する場合には、さらに延伸を行うことが好ましい。延伸方法としては、従来公知の方法、例えば、一軸または二軸方向に逐次または同時に延伸する方法を挙げることができる。延伸温度は好ましくは樹脂組成物のガラス転移点以上ガラス転移点＋９０℃以下、より好ましくは樹脂組成物のガラス転移点以上ガラス転移点＋７０℃以下、さらに好ましくはガラス転移点以上ガラス転移点＋６０℃以下である。延伸温度が低すぎても高すぎても均一なフィルムを製造することが困難であり好ましくない。また、延伸倍率は、面倍率として、好ましくは１．５倍以上１００倍以下である。本発明における延伸倍率は（延伸後のフィルムの面積）／（延伸前のフィルムの面積）で表されるものである。延伸することでポリマーが配向し、より高弾性化するため好ましい。
【０１０１】
また、熱可塑性樹脂が結晶性の場合にはフィルムの延伸配向後、熱処理することが好ましい。熱処理の温度としてはポリエステルのガラス転移点以上、融点以下が好ましい。さらに好適な温度は得られたフィルムの結晶化温度と得られたフィルムの物性などを勘定して決定される。
【０１０２】
本発明のフィルムの厚みは、好ましくは１〜５００μｍ、さらに好ましくは５〜４００μｍ、特に好ましくは１０〜３００μｍである。この範囲であれば十分に紫外線を吸収し、耐光性フィルムとして有効である。
【０１０３】
本発明の樹脂組成物は、高分子物質に上記一般式（１）で表わされる化合物を含有することを特徴とする。一般式（１）で表わされる化合物の好ましい置換基、具体例、及び高分子物質については、樹脂成形物の説明において述べたと同様である。本発明の樹脂組成物は、本発明の樹脂成形物（種々の材料や成形体）及びポリマーフィルムの製造に使用できる。本発明の樹脂成形体及び組成物は、合成樹脂が使用される全ての用途に使用可能であるが、特に日光又は紫外線を含む光に晒される可能性のある用途に特に好適に使用できる。具体例としては、例えばガラス代替品の表面コーティング材、住居、施設、輸送機器等の窓ガラス、採光ガラス及び光源保護ガラス用のコーティング材、住居、施設、輸送機器等のウインドウフィルム、住居、施設、輸送機器等の内外装材、蛍光灯、水銀灯等の紫外線を発する光源用部材、精密機械、電子電気機器用部材、各種ディスプレイから発生する電磁波等の遮断用材、食品、化学品、薬品等の容器又は包装材、ボトル、ボックス、ブリスター、カップ、特殊包装用、コンパクトディスクコート、農工業用シート又はフィルム材、ポリマー支持体用（例えば、機械及び自動車部品のようなプラスチック製部品用）の保護膜、印刷物オーバーコート、インクジェット媒体被膜、積層艶消し、オプティカルライトフィルム、安全ガラス／フロントガラス中間層、エレクトロクロミック／フォトクロミック用途、オーバーラミネートフィルム、太陽熱制御膜、光学フィルタ、バックライトディスプレーフィルム、プリズム、鏡、写真材料等の光学用品、金型膜、転写式ステッカー、落書き防止膜、テープ等の文房具、標示板、標示器等の表面コーティング材、太陽電池用基材等を挙げることができる。
本発明における中間膜とは、基板と基板の間に挟まれているものであれば良く、具体例として、合わせガラスに挟んで用いるポリマーフィルムなどを挙げることができる。
【実施例】
【０１０４】
以下、本発明を実施例に基づき更に詳細に説明するが、本発明はこれらに限定されるものではない。
【０１０５】
実施例１
固有粘度が０．７８のポリエチレンテレフタレート（ＰＥＴ）のペレットを１７０℃で６時間乾燥したものと例示化合物（１）を混合し、押し出し機に投入した。溶融温度２８０℃で溶融混練し、紫外線吸収剤含有ペレットを得た。ペレットとポリエチレンテレフタレートを紫外線吸収剤が０．５ｇ／ｍ2となるように混合し、２８０℃で溶融混練を行い、厚み１００μｍのフィルムを得た。
例示化合物（１）の溶液における最大吸収波長は、酢酸エチルを溶媒として、濃度２×１０-5Ｍの溶液を調製し、分光光度計ＵＶ−３６００（商品名、島津製作所製）を用いて測定したところ、３７５ｎｍであった。
【０１０６】
実施例２
実施例１において例示化合物（１）の添加量を１．０ｇ／ｍ2に変更したこと以外は実施例１と同様にして、フィルムを作製した。
【０１０７】
実施例３
実施例１において例示化合物（１）の添加量を４．０ｇ／ｍ2に変更したこと以外は実施例１と同様にして、フィルムを作製した。
【０１０８】
実施例４
実施例１において例示化合物（１）を例示化合物（５）に変更したこと以外は実施例１と同様にして、フィルムを作製した。
実施例１と同様にして、例示化合物（５）の溶液における最大吸収波長を測定したところ、３９２ｎｍであった。
【０１０９】
実施例５
実施例１において例示化合物（１）を例示化合物（１７）に変更したこと以外は実施例１と同様にして、フィルムを作製した。
実施例１と同様にして、例示化合物（１７）の溶液における最大吸収波長を測定したところ、３６１ｎｍであった。
【０１１０】
実施例６
実施例１において例示化合物（１）を例示化合物（２１）に変更したこと以外は実施例１と同様にして、フィルムを作製した。
実施例１と同様にして、例示化合物（２１）の溶液における最大吸収波長を測定したところ、３５７ｎｍであった。
【０１１１】
実施例７
実施例１において例示化合物（１）を例示化合物（３１）に変更したこと以外は実施例１と同様にして、フィルムを作製した。
実施例１と同様にして、例示化合物（３１）の溶液における最大吸収波長を測定したところ、３８３ｎｍであった。
【０１１２】
実施例８
ポリカーボネート（ＰＣ）のペレットと例示化合物（１）を混合し、押し出し機に投入した。溶融温度３００℃で溶融混練し、紫外線吸収剤含有ペレットを得た。ペレットとポリカーボネートを紫外線吸収剤が０．５ｇ／ｍ2となるように混合し、３００℃で溶融混練を行い、厚み１００μｍのフィルムを得た。
【０１１３】
実施例９
ポリエチレンナフタレート（ＰＥＮ）のペレットと例示化合物（１）を混合し、押し出し機に投入した。溶融温度３０５℃で溶融混練し、紫外線吸収剤含有ペレットを得た。ペレットとポリエチレンナフタレートを紫外線吸収剤が０．５ｇ／ｍ2となるように混合し、３０５℃で溶融混練を行い、厚み１００μｍのフィルムを得た。
【０１１４】
実施例１０
ポリエーテルスルホン（ＰＥＳ）のペレットと例示化合物（１）を混合し、押し出し機に投入した。溶融温度３５０℃で溶融混練し、紫外線吸収剤含有ペレットを得た。ペレットとポリエーテルスルホンを紫外線吸収剤が０．５ｇ／ｍ2となるように混合し、３５０℃で溶融混練を行い、厚み１００μｍのフィルムを得た。
【０１１５】
実施例１１
ポリメチルメタクリレート（ＰＭＭＡ）のペレットと例示化合物（１）を混合し、押し出し機に投入した。溶融温度２４０℃で溶融混練し、紫外線吸収剤含有ペレットを得た。ペレットとポリメチルメタクリレートを紫外線吸収剤が０．５ｇ／ｍ2となるように混合し、２４０℃で溶融混練を行い、厚み１００μｍのフィルムを得た。
【０１１６】
実施例１２
実施例１において例示化合物（１）の添加量を５．０ｇ／ｍ2に変更したこと以外は実施例１と同様にして、フィルムを作製した。
【０１１７】
実施例１３
実施例１においてフィルムの厚みを２５μｍに変更したこと以外は実施例１と同様にして、フィルムを作製した。
【０１１８】
実施例１４
実施例１においてフィルムの厚みを２００μｍに変更したこと以外は実施例１と同様にして、フィルムを作製した。
【０１１９】
実施例１５
ポリブチレンテレフタレート（ＰＢＴ）のペレットと例示化合物（１）を混合し、押し出し機に投入した。溶融温度２８０℃で溶融混練し、紫外線吸収剤含有ペレットを得た。ペレットとポリブチレンテレフタレートを紫外線吸収剤が０．５ｇ／ｍ2となるように混合し、３５０℃で溶融混練を行い、厚み１００μｍのフィルムを得た。
【０１２０】
比較例１
実施例１において例示化合物（１）を添加しなかったこと以外は実施例１と同様にして、フィルムを作製した。
【０１２１】
比較例２
実施例１において例示化合物（１）の添加量を６．０ｇ／ｍ2に変更したこと以外は実施例１と同様にして、フィルムを作製した。
【０１２２】
比較例３
テトラヒドロフランにポリメチルメタクリレート（ＰＭＭＡ）を２０質量％溶解し、バインダー溶液を調製した。次に、当該バインダー溶液に下記比較化合物Ａ（Ｍｅはメチル基を表す）を溶解させ、塗布液を調製した。厚さ１００μｍのポリエチレンテレフタレートフィルムを基材とし、その上に上記塗布液をコーターにより塗布し、１時間７０℃で乾燥させ、膜厚５０μｍの被膜を形成して、フィルムを作製した。フィルムにおける比較化合物Ａの含有量は、１０．８ｇ／ｍ2であった。
比較化合物Ａの溶液における最大吸収波長は、実施例１と同様にして測定したところ、３５２ｎｍであった。
【０１２３】
【化１７】
2010132846.tif 000024
【０１２４】
比較例４
比較例３においてフィルムの厚みを５μｍに変更した以外は比較例３と同様にして、フィルムを作製した。
【０１２５】
比較例５
実施例１２において例示化合物（１）の代わりに比較化合物Bを添加したこと以外は実施例１２と同様にして、フィルムを作製した。
比較化合物Ｂの溶液における最大吸収波長は、実施例１と同様にして測定したところ、３４６ｎｍであった。
【０１２６】
【化１８】
2010132846.tif 000025
【０１２７】
＜評価＞
耐光性
作製したフィルムについて、それぞれキセノンランプで照度１７万ルクスになるように光照射し、１０００時間照射後の各フィルムを分光光度計ＵＶ−３６００（商品名、島津製作所製）を用いて波長４１０ｎｍ、４３０ｎｍ及び４４０ｎｍでの光線透過率を測定した。照射後、ヘーズ測定器を使用してフィルムのヘーズ値を測定し、照射前のヘーズ値との差を下記の基準で評価した。
○：        照射後ヘーズ値／照射前ヘーズ値≦２．０  …  耐光性極めて良好
△：２．０＜照射後ヘーズ値／照射前ヘーズ値≦３．０  …  耐光性良好
×：３．０＜照射後ヘーズ値／照射前ヘーズ値          …  耐光性不良
フィルム色味
作製したフィルムの色味を目視で観察し、その黄色味を評価した。
○：ほぼ無色で良好な色味
×：黄色着色の問題有り
結果を表７に示す。
【０１２８】
【表７】
2010132846.tif 000026
【０１２９】
表７の結果から明らかなように、紫外線吸収剤を全く含まない比較例１のフィルムは、耐光性に劣るものであった。また、比較例２のフィルムは、紫外線吸収剤がブリードアウトし、フィルム表面が白くなって汚れており、フィルムとしての適性がなかった。また、比較化合物Ａ（ＵＶ−Ａ領域に吸収を有する既存の紫外線吸収剤）を含む比較例３及び４のフィルムは、耐光性に関してはそれほど問題とならないものの、波長４３０ｎｍ及び４４０ｎｍにおける光線透過率が低いものであった。また、比較化合物Ｂを含む比較例５のフィルムは、４１０ｎｍにおける光をほとんどカットできていない、また、耐光性も劣っていた。
これらに対し、本発明のフィルムは、波長４１０ｎｍの透過率が低く、かつ波長４３０ｎｍ及び４４０ｎｍの透過率が高いものであり、光照射によって分解しにくいことがわかった。
【０１３０】
実施例１６
ポリカーボネート（ＰＣ）のペレットと例示化合物（１）を混合し、押し出し機に投入した。溶融温度３００℃で溶融混練し、紫外線吸収剤含有ペレットを得た。ペレットとポリカーボネートを紫外線吸収剤が０．５ｇ／ｍ2となるように混合し、３００℃で射出成形を行い、厚み１ｍｍの成形体を得た。
【０１３１】
実施例１７
実施例１６において成形体の厚みを５ｍｍに変更した以外は実施例１６と同様にして、成形体を作成した。
【０１３２】
実施例１８
実施例１６において成形体の厚みを１０ｍｍに変更した以外は実施例１６と同様にして、成形体を作成した。
【０１３３】
実施例１９
ポリメチルメタクリレート（ＰＭＭＡ）のペレットと例示化合物（１）を混合し、押し出し機に投入した。溶融温度２４０℃で溶融混練し、紫外線吸収剤含有ペレットを得た。ペレットとポリメチルメタクリレートを紫外線吸収剤が０．５ｇ／ｍ2となるように混合し、２４０℃で射出成形を行い、厚み１ｍｍの成形体を得た。
【０１３４】
実施例２０
実施例１９において成形体の厚みを５ｍｍに変更した以外は実施例１９と同様にして、成形体を作成した。
【０１３５】
実施例２１
実施例２０において成形体の厚みを１０ｍｍに変更した以外は実施例１９と同様にして、成形体を作成した。
【０１３６】
＜評価＞
耐光性
作製した成形体について、それぞれキセノンランプで照度１７万ルクスになるように光照射し、１０００時間照射後の各フィルムを分光光度計ＵＶ−３６００（商品名、島津製作所製）を用いて波長４１０ｎｍ、４３０ｎｍ及び４４０ｎｍでの光線透過率を測定した。照射後、ヘーズ測定器を使用して成形体のヘーズ値を測定し、照射前のヘーズ値との差を下記の基準で評価した。
○：        照射後ヘーズ値／照射前ヘーズ値≦２．０  …  耐光性極めて良好
△：２．０＜照射後ヘーズ値／照射前ヘーズ値≦３．０  …  耐光性良好
×：３．０＜照射後ヘーズ値／照射前ヘーズ値          …  耐光性不良
成形体色味
作製した成形体の色味を目視で観察し、その黄色味を評価した。
○：ほぼ無色で良好な色味
×：黄色着色の問題有り
結果を表８に示す。
【０１３７】
【表８】
2010132846.tif 000027
【０１３８】
表８の結果から明らかなように、本発明の成形体は、波長４１０ｎｍの透過率が低く、かつ波長４３０ｎｍ及び４４０ｎｍの透過率が高いものであり、光照射によって分解しにくいことがわかった。
【０１３９】
表７および８の結果から明らかなように、本発明の樹脂成形物は、波長４１０ｎｍの透過率が低く、かつ波長４３０ｎｍ及び４４０ｎｍの透過率が高く、光照射によって分解しにくいことから、太陽電池での利用において効果的であると思われる。